(57)【要約】【課題】  クレジットカードの利用と、日記等のコメントとを紐付けて、対比可能とする。【解決手段】  認証決済システム５は情報統合システム１に接続され、会員２のカード利用に際し、加盟店端末６から、会員２のカード番号、カード利用日、カード利用金額、加盟店識別番号を少なくとも含むカード利用情報を受信し、会員情報に基づいて会員２の認証及びカードの利用可否判断を行い、カード利用情報を格納する利用履歴データベース５４を有する。情報統合システム１は会員端末３からマッチングキーが付加されたコメントを受信して格納するコメントデータベース１１と、利用履歴データベース５４に格納されているカード利用情報とコメントデータベース１１に格納されているコメントとをマッチングキーに基づいて、会員毎に紐付け統合を行う統合手段１２と、統合手段１２におけるカード利用情報とコメントの統合結果を閲覧可能とする閲覧手段１３とを有する。【選択図】図１
2005063216.tif 000002
【特許請求の範囲】
【請求項１】
クレジットカード会員のカード利用可否を判断する認証決済システムと接続され、かつ、携帯電話、パソコン等の会員端末とネットワーク接続され、前記会員端末から受信したコメントと前記カードの利用とを紐付け統合する情報統合システムであって、
前記認証決済システムは、
前記会員のカード番号、与信情報を少なくとも含む会員情報を格納する会員データベースと、
前記会員のカード利用に際し、クレジットカードの加盟店から、前記会員のカード番号、カード利用日、カード利用金額、加盟店識別番号を少なくとも含むカード利用情報を受信し、前記会員情報に基づいて、前記会員の認証及びカードの利用可否判断を行う認証決済手段と、
前記カード利用情報を格納する利用履歴データベースとを有し、
前記情報統合システムは、
前記会員端末から、前記カード利用情報に含まれる情報により構成されるマッチングキーが付加されたコメントを受信して格納するコメントデータベースと、
前記利用履歴データベースに格納されているカード利用情報と、前記コメントデータベースに格納されているコメントとを、前記マッチングキーに基づいて、会員毎に紐付け、統合を行う統合手段と、
前記統合手段におけるカード利用情報とコメントの統合結果を、閲覧可能とする閲覧手段とを、
有することを特徴とする情報統合システム。
【請求項２】
前記マッチングキーは、前記カード利用情報内のカード利用日及びカード利用金額を含む
ことを特徴とする請求項１に記載の情報統合システム。
【請求項３】
前記マッチングキーは、前記会員のカード番号を含む
ことを特徴とする請求項１又は請求項２に記載の情報統合システム。
【請求項４】
前記情報統合システム又は前記認証決済システムは、
前記会員が所有するか否かを問わない会員端末に対応するメールアドレスを前記会員のカード番号に紐付けて、前記会員データベースに登録するメールアドレス登録部を有し、
前記マッチングキーは、前記メールアドレスを含む
ことを特徴とする請求項３に記載の情報統合システム。
【請求項５】
前記メールアドレス登録部は、
複数の前記メールアドレスを登録可能とする
ことを特徴とする請求項４に記載の情報統合システム。
【請求項６】
前記情報統合システムは、
前記認証決済手段が、前記会員のカードの利用可否を判断するのと同時又は判断した後に、
前記カード利用情報及び前記会員のカード番号に紐付けて登録されたメールアドレスに基づいて、前記会員端末に、前記コメントの送信を促すメールを送信するメール送信手段を
有することを特徴とする請求項１から請求項５のいずれかに記載の情報統合システム。
【請求項７】
前記メール送信手段は、
前記カード利用情報に基づいて前記マッチングキーを生成し、
前記マッチングキーをメール本文欄又は題名欄に付加して前記会員端末に送信する
ことを特徴とする請求項６に記載の情報統合システム。
【請求項８】
前記閲覧手段は、
前記統合手段における統合結果を、前記会員のカードの利用明細書、前記会員向けの会報誌、本等の紙媒体に出力する、又は、前記統合結果を格納する統合結果格納サーバから前記会員端末にダウンロードさせ前記会員端末に表示する、又は、会員向けウェブページ若しくはメールにより、ブラウザ若しくはメールソフトを介して前記会員端末に表示する
ことを特徴とする請求項１から請求項７のいずれかに記載の情報統合システム。
【請求項９】
クレジットカード会員のカードの利用可否を判断する第１のステップと、携帯電話、パソコン等の会員端末から受信したコメントと前記カードの利用とを紐付け統合を行う第２のステップとを有する情報統合方法であって、
前記第１のステップは、
前記会員のカード番号、与信情報を少なくとも含む会員情報を会員データベースに格納するステップと、
前記会員のカード利用に際し、クレジットカードの加盟店から、前記会員のカード番号、カード利用日、カード利用金額、加盟店識別番号を少なくとも含むカード利用情報を受信し、前記会員情報に基づいて、前記会員の認証及びカードの利用可否判断を行うステップと、
前記カード利用情報を利用履歴データベースに格納するステップとを有し、
前記第２のステップは、
前記会員端末から、前記カード利用情報に含まれる情報により構成されるマッチングキーが付加されたコメントを受信してコメントデータベースに格納するステップと、
前記利用履歴データベースに格納されているカード利用情報と、前記コメントデータベースに格納されているコメントとを、前記マッチングキーに基づいて、会員毎に紐付け、統合を行うステップと、
前記カード利用情報とコメントの統合結果を、閲覧可能とするステップと、
を有することを特徴とする情報統合方法。
【請求項１０】
前記マッチングキーは、前記カード利用情報内のカード利用日及びカード利用金額を含む
ことを特徴とする請求項９に記載の情報統合方法。
【請求項１１】
前記マッチングキーは、前記会員のカード番号を含む
ことを特徴とする請求項９又は請求項１０に記載の情報統合方法。
【請求項１２】
前記会員情報を会員データベースに格納するステップは、
前記会員が所有するか否かを問わない会員端末に対応するメールアドレスを前記会員のカード番号に紐付けて、前記会員データベースに登録するステップを更に有し、
前記マッチングキーは、前記メールアドレスを含む
ことを特徴とする請求項１１に記載の情報統合方法。
【請求項１３】
前記メールアドレスを登録するステップでは、
複数の前記メールアドレスを登録可能とする
ことを特徴とする請求項１２に記載の情報統合方法。
【請求項１４】
前記情報統合方法は、
前記会員のカードの利用可否を判断するのと同時又は判断した後に、
前記カード利用情報及び前記会員のカード番号に紐付けて登録されたメールアドレスに基づいて、前記会員端末に、前記コメントの送信を促すメールを送信するステップを
更に有することを特徴とする請求項９から請求項１３のいずれかに記載の情報統合方法。
【請求項１５】
前記メールを送信するステップでは、
前記カード利用情報に基づいて前記マッチングキーを生成し、
前記マッチングキーをメール本文欄又は題名欄に付加して前記会員端末に送信する
ことを特徴とする請求項１４に記載の情報統合方法。
【請求項１６】
前記閲覧可能とするステップでは、
前記統合ステップにおける統合結果を、前記会員のカードの利用明細書、前記会員向けの会報誌、本等の紙媒体に出力する、又は、前記統合結果を格納する統合結果格納サーバから前記会員端末にダウンロードさせ前記会員端末に表示する、又は、会員向けウェブページ若しくはメールにより、ブラウザ若しくはメールソフトを介して前記会員端末に表示する
ことを特徴とする請求項９から請求項１５のいずれかに記載の情報統合方法。
【発明の詳細な説明】
【技術分野】
【０００１】
本発明は、情報統合システム及び情報統合方法に関し、特に、クレジットカードの利用とコメントを紐付けて対比することが出来る情報統合システム及び情報統合方法に関する。
【背景技術】
【０００２】
従来、クレジットカード（以下、単にカードという）の会員が、カードを利用して、カード加盟店との間で買い物等の取引を行うと、定期的（例えば１ヶ月毎）にカードの利用明細書兼請求書（以下、単に利用明細書という）が、カード会社から会員に送られる。
【０００３】
会員は、カードの支払いを行うため、又、会員以外の者によるカードの不正利用がされていないかを確認するため、利用明細書に記載されているカードの利用日付、店名、金額を見て、その時自分は何をしていたのか、何を購入したのか等を思い出すことになる。もし、思い出すことが出来なければ、更に、会員が個別に管理している日記帳、スケジュール帳、家計簿等の記載事項を確認することになる。
【０００４】
そのため、会員はカードを利用した旨を記載する欄やコメント記録欄が設けられている家計簿や日記帳を購入して、その家計簿や日記帳にカードを利用した旨を記入していた。又、入力の即時性を高めるため、携帯端末からネットワークを介して家計簿や日記帳に記載すべき情報を送信することが出来るシステムや方法があった（例えば、特許文献１、特許文献２参照）。
【０００５】
【特許文献１】特開２００２−３７３１３５号公報
【特許文献２】特開２００２−２１５８５５号公報
【発明の開示】
【発明が解決しようとする課題】
【０００６】
しかし、家計簿や日記帳にカードを利用した旨を記載したとしても、結局、カードの利用明細書確認時に、利用明細書に記載された事項と、家計簿や日記帳に記載された該当事項とを照合する手間は変わらず、又、利用明細書と、家計簿や日記帳とが別々に存在することにより、各々の保管スペースが必要となり、利便性に欠けるという問題があった。
【０００７】
又、家計簿や日記を付ける習慣がない人にとっては、カードの利用明細書に記載された事項の妥当性（自分が本当に利用したのかどうか）を確認する手段がなく、結果として利用明細書そのものが会員の目に触れられないというケースもあった。
【課題を解決するための手段】
【０００８】
そこで本発明者は上記問題に鑑み、クレジットカードの利用と、日記等のコメントとを紐付けて、即座に対比させたり、閲覧する等の利用に供することが出来る情報統合システム及び情報統合方法を実現した。
【０００９】
請求項１の発明は、
クレジットカード会員のカード利用可否を判断する認証決済システムと接続され、かつ、携帯電話、パソコン等の会員端末とネットワーク接続され、前記会員端末から受信したコメントと前記カードの利用とを紐付け統合する情報統合システムであって、前記認証決済システムは、前記会員のカード番号、与信情報を少なくとも含む会員情報を格納する会員データベースと、前記会員のカード利用に際し、クレジットカードの加盟店から、前記会員のカード番号、カード利用日、カード利用金額、加盟店識別番号を少なくとも含むカード利用情報を受信し、前記会員情報に基づいて、前記会員の認証及びカードの利用可否判断を行う認証決済手段と、前記カード利用情報を格納する利用履歴データベースとを有し、前記情報統合システムは、前記会員端末から、前記カード利用情報に含まれる情報により構成されるマッチングキーが付加されたコメントを受信して格納するコメントデータベースと、前記利用履歴データベースに格納されているカード利用情報と、前記コメントデータベースに格納されているコメントとを、前記マッチングキーに基づいて、会員毎に紐付け、統合を行う統合手段と、前記統合手段におけるカード利用情報とコメントの統合結果を、閲覧可能とする閲覧手段とを有する情報統合システムである。
【００１０】
請求項９の発明は、
クレジットカード会員のカードの利用可否を判断する第１のステップと、携帯電話、パソコン等の会員端末から受信したコメントと前記カードの利用とを紐付け統合を行う第２のステップとを有する情報統合方法であって、前記第１のステップは、前記会員のカード番号、与信情報を少なくとも含む会員情報を会員データベースに格納するステップと、前記会員のカード利用に際し、クレジットカードの加盟店から、前記会員のカード番号、カード利用日、カード利用金額、加盟店識別番号を少なくとも含むカード利用情報を受信し、前記会員情報に基づいて、前記会員の認証及びカードの利用可否判断を行うステップと、前記カード利用情報を利用履歴データベースに格納するステップとを有し、前記第２のステップは、前記会員端末から、前記カード利用情報に含まれる情報により構成されるマッチングキーが付加されたコメントを受信してコメントデータベースに格納するステップと、前記利用履歴データベースに格納されているカード利用情報と、前記コメントデータベースに格納されているコメントとを、前記マッチングキーに基づいて、会員毎に紐付け、統合を行うステップと、前記カード利用情報とコメントの統合結果を、閲覧可能とするステップとを有する情報統合方法である。
【００１１】
請求項１及び請求項９の発明により、会員のカード取引事実（行動事実）を表すカード利用情報と、カード利用時の感情やカード利用の詳細を表すコメントととが、紐付けて管理され、自ずと整理された日記が完成するので、カード利用情報とコメントの対比が容易となり、会員の利便性が高まるだけでなく、カード入会やカードメイン化が促進される。
【００１２】
請求項２及び請求項１０の発明は、
前記マッチングキーは、前記カード利用情報内のカード利用日及びカード利用金額を含む情報統合システム及び情報統合方法である。
【００１３】
請求項２及び請求項１０の発明により、カード利用日とカード利用金額からなるマッチングキーであれば、会員がコメントを送信する際に生成するのが容易であり、確実に、カード利用情報とコメントとの紐付けが１対１で行われることになる。
【００１４】
請求項３及び請求項１１の発明は、
前記マッチングキーは、前記会員のカード番号を含む情報統合システム及び情報統合方法である。
【００１５】
請求項３及び請求項１１の発明により、会員を識別する情報とカード利用情報の組合わせによるユニークなマッチングキーが生成され、カード利用情報とコメントの紐付けが確実に行われることになる。
【００１６】
請求項４の発明は、
前記情報統合システム又は前記認証決済システムは、前記会員が所有するか否かを問わない会員端末に対応するメールアドレスを前記会員のカード番号に紐付けて、前記会員データベースに登録するメールアドレス登録部を有し、前記マッチングキーは、前記メールアドレスを含む情報統合システムである。
【００１７】
請求項１２の発明は、前記会員情報を会員データベースに格納するステップは、
前記会員が所有するか否かを問わない会員端末に対応するメールアドレスを前記会員のカード番号に紐付けて、前記会員データベースに登録するステップを更に有し、前記マッチングキーは、前記メールアドレスを含む情報統合方法である。
【００１８】
請求項４及び請求項１２の発明により、任意のメールアドレスを会員のカード番号に紐付けて登録することが出来るので、コメントの送信場所に応じて、コメントの送信元を変更する（例えば、携帯電話のメールアドレスから自宅のパソコンのメールアドレスに変更する）ことが可能となり、コメント入力の即時性が確保される。
【００１９】
又、会員はメールアドレスをマッチングキーにした場合には、コメント送信時にカード番号の入力の手間を省略することも出来る。又、会員の親戚や知人のメールアドレスを利用してコメントを送信することも可能となるので、これら親戚や知人が会員に代わってコメントを送信することも可能となる。
【００２０】
請求項５の発明は、
前記メールアドレス登録部は、複数の前記メールアドレスを登録可能とする情報統合システムである。
【００２１】
請求項１３の発明は、
前記メールアドレスを登録するステップでは、複数の前記メールアドレスを登録可能とする情報統合方法である。
【００２２】
請求項５及び請求項１３の発明により、複数のメールアドレスを登録出来るので、コメントの送信場所に応じてメールアドレスを変更するような場合には、変更手続きが不要となり、より、コメント入力の即時性が確保される。
【００２３】
請求項６の発明は、
前記認証決済手段が、前記会員のカードの利用可否を判断するのと同時又は判断した後に、前記カード利用情報及び前記会員のカード番号に紐付けて登録されたメールアドレスに基づいて、前記会員端末に、前記コメントの送信を促すメールを送信するメール送信手段をを有する情報統合システムである。
【００２４】
請求項１４の発明は、
前記会員のカードの利用可否を判断するのと同時又は判断した後に、前記カード利用情報及び前記会員のカード番号に紐付けて登録されたメールアドレスに基づいて、前記会員端末に、前記コメントの送信を促すメールを送信するステップを更に有する情報統合方法である。
【００２５】
請求項６及び請求項１４の発明により、会員がカードを利用すると同時に、予め登録されたメールアドレスの会員端末の元に、コメント送信を促すメールが送信されるので、会員がこのメールに返信するだけでコメントを送信することが可能となり、会員のコメント送信を習慣付けることが可能となる。又、メールアドレスが登録されていることが前提となるので、コメントにカード番号を付加する必要がなくなり、カード番号が外部に漏洩する心配がなくなる。
【００２６】
請求項７の発明は、
前記メール送信手段は、前記カード利用情報に基づいて前記マッチングキーを生成し、前記マッチングキーをメール本文欄又は題名欄に付加して前記会員端末に送信する情報統合システムである。
【００２７】
請求項１５の発明は、
前記メールを送信するステップでは、前記カード利用情報に基づいて前記マッチングキーを生成し、前記マッチングキーをメール本文欄又は題名欄に付加して前記会員端末に送信する情報統合方法である。
【００２８】
請求項７及び請求項１５の発明により、会員に送信されるメールには既にマッチングキーが付加されているため、会員は受信したメールに返信さえすれば、自ずとマッチングキーが入力されたコメントを送信することが出来、会員のマッチングキー入力の手間を省略することが出来る。
【００２９】
請求項８の発明は、
前記閲覧手段は、前記統合手段における統合結果を、前記会員のカードの利用明細書、前記会員向けの会報誌、本等の紙媒体に出力する、又は、前記統合結果を格納する統合結果格納サーバから前記会員端末にダウンロードさせ前記会員端末に表示する、又は、会員向けウェブページ若しくはメールにより、ブラウザ若しくはメールソフトを介して前記会員端末に表示する情報統合システムである。
【００３０】
請求項１６の発明は、
前記閲覧可能とするステップでは、前記統合手段における統合結果を、前記会員のカードの利用明細書、前記会員向けの会報誌、本等の紙媒体に出力する、又は、前記統合結果を格納する統合結果格納サーバから前記会員端末にダウンロードさせ前記会員端末に表示する、又は、会員向けウェブページ若しくはメールにより、ブラウザ若しくはメールソフトを介して前記会員端末に表示する情報統合方法である。
【００３１】
請求項８及び請求項１６の発明により、コメントとカード利用情報の統合結果を様々な形態で会員に閲覧させることが可能となる。例えば、利用明細書に統合結果が表示されている場合には、会員は即座にカード利用時を思い出すことが可能となる。又、会員の誕生日等の記念日に、統合結果を本にしてプレゼントすれば、会員の自分史が制作されたことになり、より、カード入会やカードメイン化が促進されることとなる。
【発明の効果】
【００３２】
本発明の情報統合システムによれば、カードを利用したという事実（いつ、どこで、何をした）を表すカード利用情報と、カードを利用した時に感じたこと、購入した物、加盟店の詳細等の自由なコメントが紐付けて管理され、会員毎に整理された日記が自動的に完成するので、会員にとっては、カード利用情報という事実証拠に紐付いた個人情報を自由に登録、管理、閲覧、保存することが可能となる。
【００３３】
又、カード会社にとっては、会員にカード利用情報とコメントの統合サービスを提供することによって、カード利用促進、カードメイン化推進が可能となり、他のカード会社との差別化が図れる。
【００３４】
会員は、会員端末のメモリ容量を減らすことなく、旅行、食事、買い物、アミューズメント等での楽しい思い出を日記として記録することが可能になるだけでなく、カード利用情報とコメントを即座に対比させることが可能となり家計簿やスケジュール帳や日記帳を見直さなくても、カード利用情報とコメントの統合結果から容易に、過去の自分の行動とその時の状況や感情を思い出すことが出来る。
【００３５】
又、コメント送信時に添付された画像や、後で登録された画像が、この統合結果とともに表示されれば、絵日記の代わりにもなる。
【００３６】
特に、定期的に会員に送付されるカードの利用明細書のカード利用情報にコメントが付加されていれば、そのカード利用情報の妥当性を確認することが容易となる。又、この利用明細書を蓄積すれば、カードの利用に基づく行動事実が証拠として一緒に記された日記が自ずと完成する。
【００３７】
更に、結婚祝いや出産祝い等の贈り物をカードを利用して購入し、誰に何を贈ったかをコメントとして送信すれば、贈答品リストが完成し、いつ誰に何をいくら贈ったかが一目瞭然となる。
【００３８】
飲み会等の複数の参加者が集った会食の料金支払いに、幹事等の代表者がカードを利用した場合には、参加者の名前や人数をコメントとして送信すれば、カードの利用事実と会食の参加者が統合されて一目瞭然となるので、後で参加費用を参加者に請求することが容易となる。同様に、個人カードを法人利用する場合にも、利用者の名前や購入した物をコメントとして送信すれば、支払いの立て替え確認が容易となる。
【００３９】
又、法人カードを利用する場合には、一の請求先（例えば、経理部門）にまとめて利用明細書が送られるが、カードを利用した者が利用者の名前や購入した物をコメントとして送信すれば、利用明細書にコメントが付加されるので、経理部門では、わざわざ利用毎の決裁書類を確認したり、利用者に利用事実を確認する必要がなくなり、支払い処理が容易となる。
【００４０】
又、１のカード番号につき、複数のメールアドレスが登録された場合には、情報統合システムは、コメントを作成して送信する者（実際にカードを利用した者）宛と、カード利用情報を確認する者（カードの支払い請求を受ける者）宛とにメールを送信することが出来るので、カードの不正利用を発見するだけでなく、実際にカードを利用する者の過度のカード利用を、親や経理担当者が抑制、防止することが可能となる。
【発明を実施するための最良の形態】
【００４１】
以下、本発明の好適な実施の形態について、添付図面に基づいて詳細に説明する。図１は、本発明の情報統合システム１と、情報統合システム１に関連するシステムや端末を示す概略構成図である。
【００４２】
図１の情報統合システム１は、クレジットカード会社（以下、単にカード会社という）と契約している会員２が主に所有する携帯端末やパソコン等の会員端末３と、インターネット９ａ等のネットワーク９を介して接続される。尚、会員２は、会員端末３の他、カード会社との契約により作成されたクレジットカード（以下、単にカード４という）を有する。
【００４３】
認証決済システム５は、カード会社と契約している加盟店の加盟店端末６と専用回線９ｂ等のネットワーク９を介して接続される。会員２は、加盟店でカード４を利用して、買い物や飲食等の取引を行うことが出来る。
【００４４】
情報統合システム１と認証決済システム５とは、同一システム内にあってもよいし、又、インターネット９ａ、専用回線９ｂ等のネットワーク９を介して接続されていてもよい。
【００４５】
尚、図１に示したインターネット９ａ、専用回線９ｂ等のネットワーク９は例示であり、種類は問わない。ネットワーク９の種類には、インターネット９ａ、専用回線９ｂの他、ＬＡＮ、ＷＡＮ、ＶＰＮ、ｘＤＳＬ、ＩＳＤＮ等がある。
【００４６】
図２は、本発明の情報統合システム１と、認証決済システム５と、加盟店端末６の詳細構成図である。
【００４７】
加盟店端末６は、加盟店に備えられ、会員がカード４を利用して買い物、飲食等の取引を行う際の仲介を行う端末であり、カードリーダ６１と、通信手段６２とを有する。
【００４８】
カードリーダ６１は、会員のカード４のカード番号を読み取る手段である。
【００４９】
通信手段６２は、カードリーダ６１によって読み取られたカード４のカード番号と、加盟店番号、取引日（利用日）、取引金額（利用金額）、取引種類等をまとめてカード利用情報とし、認証決済システム５に送信して会員のカード４の利用可否を問い合せ、認証決済システム５からの回答を受信する手段である。カード利用情報には、加盟店端末６と認証決済システム５との間で取引に関する通信が行われた時刻が含まれる場合もある。
【００５０】
尚、上記加盟店端末６は一般的な加盟店が備えている端末である。又、インターネット９ａ上でカード４による取引（いわゆる仮想店舗によるインターネット商取引）が行われる際の加盟店端末６は、インターネット９ａに接続されたサーバに置き換えられる。又、カードリーダ６１の代わりに、会員のカード４のカード番号や注文商品等の情報を会員端末３から受信する手段が設けられる。
【００５１】
認証決済システム５は、一般にカード会社や管理会社が有し、会員のカード４の利用可否を判断するとともに、会員のカード利用履歴を保存するシステムであり、通信手段５１、認証決済手段５２、会員データベース５３、利用履歴データベース５４を有する。
【００５２】
通信手段５１は、加盟店端末６から送信されたカード利用情報を受信し、認証決済手段５２からの会員のカード４の利用可否を加盟店端末６に送信する手段である。
【００５３】
認証決済手段５２は、カード利用情報内のカード番号が、会員データベース５３内に存在するかの認証を行い、存在する場合には、カード利用情報内の利用金額や取引種類が、予め設定されている取引限度額内か、取引種類と合致するか等を確認して、会員のカード４の利用可否を判断する手段である。
【００５４】
会員データベース５３は、会員のカード４のカード番号、氏名、住所、電話番号、与信情報（取引限度額、取引種類）等の会員情報を格納するデータベースである。尚、セキュリティ確保のため、会員データベース５３は会員情報の項目毎に分けて複数生成されている場合もある。
【００５５】
利用履歴データベース５４は、加盟店端末６から送信されたカード利用情報を格納するデータベースである。利用履歴データベース５４の更新は、会員が加盟店でカード４を利用するのと同時にされてもよいし、認証決済手段５２がカード４の利用可否判断を行った後（例えば、カード４の利用の翌日〜２週間後）の売上確定段階でされてもよい。
【００５６】
又、利用履歴データベース５４は、後で行われる会員毎のカード４の利用にかかる請求確定処理（会員への利用明細書の作成、送付を含む）や、本発明の情報統合システム１で行われる処理を容易とするため、会員を識別可能なカード番号を主キーとして、会員毎のカード利用情報を抽出可能なように構成されていてもよい。
【００５７】
情報統合システム１は、一般に認証決済システム５とともにカード会社や管理会社が有し、会員端末３から送信されたコメントを受信してコメントデータベース１１に保存し、会員毎に、コメントとカード利用情報とを紐付けて統合し、会員や会員以外の会員の閲覧利用を可能とするシステムである。
【００５８】
情報統合システム１は、コメントデータベース１１と、統合手段１２と、閲覧手段１３とを有する。
【００５９】
コメントデータベース１１は、会員端末３から送信されたコメントを受信して保存するデータベースである。会員は、カード４の利用時に感じたことや購入した物等の自由なコメントを作成し、好みに応じてデジタルカメラ等で撮影された画像を添付し、情報統合システム１に送信する。
【００６０】
その際会員は、後で情報統合システム１が行うコメントとカード利用情報との紐付け統合処理のために必要なマッチングキーをコメントに付加して送信する。マッチングキーがない場合には、コメントのみを送信してもよい。
【００６１】
マッチングキーの詳細は後述するが、例えば、会員が会員端末３で作成するメールの題名欄に入力されてもよいし、メール本文欄に入力されてもよい。
【００６２】
尚、会員端末３は、ネットワーク通信手段、入出力手段（キーボード、ディスプレイ等）、ＣＰＵ（中央演算処理装置）、記憶媒体（メモリ、ハードディスク等）を少なくとも有する端末であればよく、携帯電話やパソコンが好適である。
【００６３】
ここで、マッチングキーは、コメントとカード利用情報とを１対１で紐付け、統合するために必要な両者に共通の情報であり、重複することのないユニークな情報である必要がある。
【００６４】
利用履歴データベース５４に格納されるカード利用情報には、加盟店番号、利用日、利用金額、取引種類、取引時刻等が含まれる。従って、コメントとカード利用情報とを１対１で紐付けることが出来、かつ、会員の入力作業を簡略化するためのマッチングキーとしては、少なくともカード４の利用日が含まれるのがよい。
【００６５】
更に、同日に複数回（加盟店は同一でも異なっていてもよい）カード４の利用がある場合に備え、利用日の他、利用金額がマッチングキーに含まれるのがよい。これにより、確実にコメントとカード利用情報とを１対１で紐付けることが可能となる。
【００６６】
又、加盟店番号や取引時刻がマッチングキーとなってもよいが、その場合には、会員が加盟店番号や正確な取引時刻を知っていることが必要となる。
【００６７】
又、コメントとカード利用情報とを紐付ける前提としては、カード４を利用する会員とコメントを作成する会員（又は会員の代理人）とが一致しなければいけないことから、マッチングキーには、当然のことながら、会員を識別するための、カード番号又は相当の会員識別情報が含まれる必要があり、カード利用情報（利用日＋利用金額）と会員識別情報の組合わせにより生成されたマッチングキーは、唯一無二の情報となり、確実にコメントが紐付けられる。
【００６８】
しかし、コメントの送信都度、カード番号を付加するのでは、会員のコメント作成の利便性に欠けるため、情報統合システム１は、予め、コメントを送信する会員端末３に対応するメールアドレスと会員のカード番号とを紐付けて登録しておき、登録されたメールアドレスを送信元とするメールが情報統合システム１に送信された場合に、会員から送信されたコメントであるとみなすようにしてもよい。つまり、この場合には、会員端末３に対応するメールアドレスがマッチングキーに含まれる。
【００６９】
メールアドレスがマッチングキーに含まれる場合、メールアドレスは、カード番号と紐付けて会員データベース５３に登録されることが望ましい。メールアドレスの登録方法としては、カード会社のクレジットサービス入会時に会員が記入する入会申込書（カード会社のウェブページ等からネットワークを介して入会手続きを行う場合には、会員端末３のブラウザの入会申込画面）に、カード利用情報とコメントの統合サービスの提供を希望するかどうかのチェック欄と、メールアドレス記入欄を設けるのが一般的である。これにより、メールアドレスは、カード番号と紐付けて会員データベース５３に登録される。
【００７０】
メールアドレス記入欄は複数設けられてもよい。複数のメールアドレスが登録された場合には、処理を行う際の優先順位や、端末の種類（携帯電話かパソコンか等）を指定可能とする。
【００７１】
又、登録されるメールアドレスに対応する会員端末３は会員の所有物であるか否かを問わない。つまり、会員の親戚や知人のメールアドレスが登録されてもよい。これにより、会員の親族や知人が所有する会員端末３からコメントを送信することも可能となる。
【００７２】
又、クレジットサービス入会後にメールアドレスの新規登録・変更を行う場合には、会員が会員情報の変更届にメールアドレスを記入してカード会社に提出することによっても可能であるし、電話、ファックス、メールその他の手段によっても、メールアドレスを登録・変更可能である。
【００７３】
又、図３に示されたメール自動送信装置７を利用して、メールアドレスを登録することも可能である。メール自動送信装置７は、加盟店やカード会社の営業所に備えられ、メール自動送信装置７内のメモリに設定保存されている任意のメールアドレスを宛先とするメールを作成して送信するような命令を会員端末３に送る装置である。
【００７４】
会員端末３がこのメール自動送信装置７に接続されると、メール自動送信装置７は、宛先アドレス（図３では、認証決済システム５ａのメールアドレス登録部５５のアドレス）を会員端末３に送り、その宛先アドレスに対してメールを送信するように、会員端末３に命令する。会員端末３は、メールアドレス登録部５５に対して、会員端末３のメールアドレスを送信元としたメールを送信する。
【００７５】
会員端末３からメールを受信したメールアドレス登録部５５は、更に、会員端末３に対して、会員のカード番号を少なくとも含む会員情報を送信するように要求する。尚、要求方法は、メールによる他、電話、ファックス等の手段によってもよい
【００７６】
会員端末３は、会員のカード番号や氏名等の会員情報をメールアドレス登録部５５に送信する。メールアドレス登録部５５は、受信した会員情報に基づき、会員データベース５３ａ内の該当するカード番号に会員端末３のメールアドレスを紐付けて登録する。
【００７７】
尚、メールアドレスは、メール本文に入力するまでもなく、受信したメールのヘッダ等に付されている送信元アドレスから一目瞭然であるので、メールアドレス登録部５５は、送信元アドレスを会員データベース５３ａに登録すればよい。
【００７８】
又、図３に示した方法によらなくとも、会員から初回、カード番号を付加したコメントの送信があった場合に、メールアドレス登録部５５が、コメントのヘッダに付されている送信元アドレスを、会員端末３のメールアドレスであるものとして、自動的に会員データベース５３ａに登録してもよい。そうすれば、会員が２回目以降コメントを送信する際には、カード番号の逐次入力は不要となる。
【００７９】
尚、図３のメールアドレス登録部５５は、情報統合システム１側に存在してもよい。
【００８０】
以上のように、予め会員のメールアドレスをカード番号と紐付けて登録しておけば、コメント送付時に逐次、会員端末３からカード番号を入力しなくても、カード利用情報とコメントの紐付けが可能となる。
【００８１】
尚、当然のことながら、会員がカード番号を付加してコメントを送信することも可能である。その場合には、メールアドレスを登録する必要はなくなるし、登録していないメールアドレスを送信元としてコメントを送信することも可能となる。
【００８２】
会員のメールアドレスが会員データベース５３ａに登録されているにもかかわらず、カード番号を付加したコメントが情報統合システム１に送信された場合には、メールアドレスとカード番号のどちらを優先的にマッチングキーとみなすかどうかを予め決めておく必要がある。
【００８３】
統合手段１２は、先のマッチングキーに基づいて、会員毎に、利用履歴データベース５４に保存されたカード利用情報と、コメントデータベース１１に保存されたコメントとを紐付け、統合を行う手段である。
【００８４】
コメントには、会員を識別することが出来るカード番号又はメールアドレスと、会員のカード４による取引事実を表す利用日・利用金額等からなるマッチングキーが付加されているから、統合手段１２は、そのマッチングキーと同じ会員（カード番号又はメールアドレス）、カード４による取引事実（利用日・利用金額）を含むカード利用情報を検索し、検索された場合には、コメントとカード利用情報を統合する。
【００８５】
尚、マッチングキーが付加されなかったコメントや、マッチングキーが付加されていたものの、対応するカード利用情報が存在しなかったコメントは、対応するカード利用情報がないものとして扱われる。
【００８６】
但し、日記代わりに毎日コメントを残したい会員にとって、毎日カード４を利用し、コメントのマッチングキーを付加することは困難であるため、カード４を利用しなかった日のコメントは、情報統合システム１内のコメントデータベース１１に保存された日（登録日）のコメントとして扱われるのが望ましい。
【００８７】
閲覧手段１３は、統合手段１２におけるカード利用情報とコメントの統合結果を、閲覧可能とする手段である。カード利用情報とコメントの統合結果は、後述する閲覧形態に応じて、データベースや統合結果格納サーバ１５（いずれも図示せず）に格納され、当該データベースや統合結果格納サーバ１５に格納されたデータが閲覧用に提供される。格納の際、統合結果は、利用日又は登録日の順番に並べられるのが望ましい。
【００８８】
閲覧の形態としては、統合結果を、カード４の利用明細書、会員向け会報誌、本等の刊行物等の紙媒体として出力したり、統合結果格納サーバ１５から会員端末３にダウンロードさせ会員端末３に表示させたり、会員専用ウェブページ若しくはメールにより、ブラウザ若しくはメールソフトを介して会員端末に表示させる形態がある。統合結果の閲覧は、会員の希望に応じて逐次可能であってもよいし、１ヶ月分、１年分等の統合結果をまとめて紙媒体に出力することによって行われてもよい。
【００８９】
尚、会員専用のウェブページは、全ての会員や一部の会員が共通に閲覧可能なウェブページと、個々の会員専用のウェブページとがあり、いずれも、カード番号、パスワード等の会員情報の入力によって認証許可された会員のみに提供されることが望ましい。
【００９０】
又、カード４の利用都度、統合結果を、会員端末３にメール送信したり、ウェブページとして提供したり、統合結果格納サーバ１５にアップロードの上会員端末３からのダウンロードを可能にすれば、会員は送信したコメントの内容を即座に確認することが出来る。又、統合結果がカード４の売上確定と同時に確定する前に、修正コメントをメール送信したり、統合結果格納サーバ１５にアップロードしたり、ウェブページ上でコメントを修正出来るようにしてもよい。
【００９１】
１年分の統合結果は、例えば、会員の誕生日や記念日に、製本等して会員にプレゼントすれば、カード会社にとって、カード入会、カード利用が促進される。又、統合結果は、会員が指定した別の会員にメールや手紙として送信されてもよいし、又、複数の会員に送信すれば会員同士の交換日記代わりとしても利用可能である。
【００９２】
以上説明した情報統合システム１によれば、カード４を利用したという事実（いつ、どこで、何をした）を表すカード利用情報と、カード４を利用した時に感じたこと、購入した物、加盟店の詳細等の自由なコメントが紐付けて管理され、会員毎に整理された日記が自動的に完成する。
【００９３】
従って、会員は、会員端末３のメモリ容量を減らすことなく、旅行、食事、買い物、アミューズメント等での楽しい思い出を日記として記録することが可能になるだけでなく、カード利用情報とコメントを即座に対比させることが可能となり家計簿やスケジュール帳や日記帳を見直さなくても、カード利用情報とコメントの統合結果から容易に、過去の自分の行動とその時の状況や感情を思い出すことが出来る。
【００９４】
又、コメント送信時に添付された画像や、後で登録された画像が、この統合結果とともに表示されれば、絵日記の代わりにもなる。
【００９５】
特に、定期的に会員に送付されるカード４の利用明細書のカード利用情報にコメントが付加されていれば、そのカード利用情報の妥当性を確認することが容易となる。又、この利用明細書を蓄積すれば、カード４の利用に基づく行動事実が証拠として一緒に記された日記が自ずと完成する。
【００９６】
更に、結婚祝いや出産祝い等の贈り物をカード４を利用して購入し、誰に何を贈ったかをコメントとして送信すれば、贈答品リストが完成し、いつ誰に何をいくら贈ったかが一目瞭然となる。
【００９７】
飲み会等の複数の参加者が集った会食の料金支払いに、幹事等の代表者がカード４を利用した場合には、参加者の名前や人数をコメントとして送信すれば、カード４の利用事実と会食の参加者が統合されて一目瞭然となるので、後で参加費用を参加者に請求することが容易となる。同様に、個人カードを法人利用する場合にも、利用者の名前や購入した物をコメントとして送信すれば、支払いの立て替え確認が容易となる。
【００９８】
又、法人カードを利用する場合には、一の請求先（例えば、経理部門）にまとめて利用明細書が送られるが、カード４を利用した者が利用者の名前や購入した物をコメントとして送信すれば、利用明細書にコメントが付加されるので、経理部門では、わざわざ利用毎の決裁書類を確認したり、利用者に利用事実を確認する必要がなくなり、支払い処理が容易となる。
【００９９】
このように、会員にとっては、カード利用情報という事実証拠に紐付いた個人情報を自由に登録、管理、閲覧、保存することが可能となる。
【０１００】
又、情報統合システム１を管理するカード会社にとっては、会員にカード利用情報とコメントの統合サービスを提供することによって、カード利用促進、カードメイン化推進が可能となり、他のカード会社との差別化が図れる。
【実施例１】
【０１０１】
次に本発明のプロセスの流れの一例を図５のフローチャート図及び図１、図２のシステム構成図とを用いて詳細に説明する。
【０１０２】
会員端末３とカード４を有する会員は、加盟店でカード４を利用して、買い物等の取引を行う。加盟店の加盟店端末６のカードリーダ６１は、カード４のカード番号を読取り、加盟店端末６は、読み取ったカード番号に基づいて、該カード番号、利用日、利用金額、加盟店番号を少なくとも含むカード利用情報を作成し（Ｓ１１０）、通信手段６２から認証決済システム５にカード利用情報を送信し、会員のカード４の利用可否を問い合せる（Ｓ１２０）。
【０１０３】
認証決済システム５の通信手段５１は、加盟店端末６から送信されたカード利用情報を受信する。認証決済手段５２は、カード利用情報に含まれるカード番号が会員データベース５３に格納されているかどうか、また会員データベース５３に格納されている場合には、今回の利用金額が会員の利用限度額を超えていないか等を確認し、カード４の利用可否を判断し（Ｓ１３０）、判断結果を加盟店端末６に回答する（Ｓ１４０）。
【０１０４】
カード４の利用許可を得た加盟店は、会員との取引を成立させるが、カード４の利用許可を得られなかった加盟店は、会員との取引を中断するか、会員に対しカード４の利用から、他のカードの利用や現金支払いに切替えてもらう等の措置を取る。
【０１０５】
認証決済システム５は、その後、会員の売上を確定し、カード利用情報を利用履歴データベース５４に保存する（Ｓ１５０）。
【０１０６】
一方、カード４を利用して買い物を終えた直後の会員は、会員端末３で、買い物や加盟店の店員等に関する感想や購入した物の詳細をコメントとして作成し、情報統合システム１に送信する（Ｓ１６０）。この時会員は、コメントの題名欄又は本文欄に、マッチングキーとして、カード４の利用日と利用金額を表す数字を入力する。例えば、利用日が５月１日で利用金額が２５０００円だった場合には、「０５０１２５０００」がマッチングキーとして入力される。
【０１０７】
尚、利用日及び利用金額は、会員が加盟店で取引を行った際に加盟店から受け取る利用明細書（レシート）に記録されているので、会員はそれを参照してマッチングキーを入力すればよい。
【０１０８】
コメントはカード４の利用直後に残すことが望ましいことから、携帯電話等の携帯端末から送信されるのが一般的であるが、インターネットショッピング等によりネットワーク９上でカード４の利用が行われる場合もあるから、自宅のパソコンから送信されてもよい。又、コメントをメールで送信する形態は、ウェブページ上でメールの送受信を行うことが出来るウェブメールであってもよいし、カード会社のウェブページに書き込んだ内容が情報統合システム１に転送される形態であってもよい。
【０１０９】
又、カード４の利用を行わなかった場合でもコメントを残したい場合は、会員は、会員端末３からマッチングキーを入力せずにコメントを情報統合システム１に送信すればよい。
【０１１０】
又、コメントには、感想等の本文の他、そのコメントを会報誌やウェブページ上で一般公開可能かどうか、第三者からの統合結果格納サーバ１５へのアクセスを許可するか、コメントの種別（例えば、趣味、会社、デート、贈答品等）を付加することが出来、画像を添付することも出来る。コメントの種別は、会員毎に自由に決定してもよいし、情報統合システム１で予め決められていてもよい。
【０１１１】
会員端末３から情報統合システム１に送信されたコメントは、コメントデータベース１１に保存される（Ｓ１７０）。
【０１１２】
尚、コメントにカード番号が付加されれば、そのコメントは、そのカード番号のカード４の所有者である会員から送信されたものとされる。つまり、カード番号もマッチングキーとなる。
【０１１３】
但し、携帯電話等からコメントを送信する場合には、コメントを送信する度にカード番号を入力するのは面倒であるため、予めカード番号が入力されたコメント入力フォームが用意されているとよい。
【０１１４】
又、カード会社のウェブページ上でコメントを入力して情報統合システム１に転送させるような場合には、コメント入力欄にカード番号入力欄が付加されていれば、２回目以降会員が会員端末３からコメントを入力する時には、会員端末３のＣｏｏｋｉｅ（クッキー）情報に基づき、１回目に入力されたカード番号が自動的に入力されるので、カード番号入力の手間が省略される。
【０１１５】
又、カード番号をマッチングキーとするのではなく、予め会員データベース５３に登録されたメールアドレスをマッチングキーとすることも可能である。メールアドレスをマッチングキーとすれば、メールアドレスは、情報統合システム１が受信したメールのヘッダから明らかとなるため、会員はカード番号のみならずメールアドレスも入力する必要がなく、そのメールアドレスを送信元とするコメントを情報統合システム１に送信するだけでよい。これにより、携帯電話からコメントを送信することも容易となるので、コメント入力の即時性が確保される。
【０１１６】
又、会員以外の会員のメールアドレスをカード番号と紐付けて会員データベース５３に登録することも可能であり、これにより、会員以外の者が、会員に代わってコメントを送信することも出来る。又、複数のメールアドレスを会員のカード番号と紐付けて会員データベース５３に登録しておけば、会員は、携帯電話やパソコン等、その時々に応じた会員端末３を利用して、コメントを送信することが出来る。複数のメールアドレスを登録可能としておけば、コメント送信場所が変わる度に、登録されているメールアドレスの変更手続きを行う必要がなくなる。
【０１１７】
情報統合システム１の統合手段１２は、一定期間毎に、コメントデータベース１１に保存されたコメントと利用履歴データベース５４に保存されたカード利用情報との紐付け統合を会員毎に行う（Ｓ１８０）。紐付けは、マッチングキーに基づいて行われる。
【０１１８】
コメントには、会員を識別することが出来るカード番号又はメールアドレスと、会員のカード４による取引事実を表す利用日・利用金額からなるマッチングキーが付加されているから、統合手段１２は、そのマッチングキーと同じ会員（カード番号又はメールアドレス）、カード４による取引事実（利用日・利用金額）を含むカード利用情報を検索し、検索された場合には、コメントとカード利用情報を統合する。
【０１１９】
ここで、会員Ａが、５月１日から５月５日までにカード４を利用して、利用履歴データベース５４に保存されたカード利用情報と、会員端末３から送信されコメントデータベース１１に保存されたコメントとを、コメントに付加されたマッチングキーに基づいて統合させた結果を図７に示す。
【０１２０】
図７では、会員Ａが５月１日にカード４を利用して、○○スポーツ店（加盟店番号０００１）で２５０００円の買い物をしていることが分かるが、このカード利用情報は利用履歴データベース５４にカード番号とともに保存されている。
【０１２１】
一方、会員Ａは、５月１日に買い物をした後、感じたことを会員端末３から入力し、利用日と利用金額を表す「０５０１２５０００」をマッチングキーとして付加して、情報統合システム１に送信したことが分かる。尚、会員Ａは、コメントの他、そのコメントの一般公開を許可する旨、コメントの種別（趣味）と、デジタルカメラ等で撮影された画像を添付している。コメントはコメントデータベース１１に保存されている。
【０１２２】
統合手段１２は、会員Ａの識別情報（カード番号やメールアドレス）を含むカード利用情報及びコメントを各データベースから抽出し、更に、コメントに付加されたマッチングキーと一致する利用日と利用金額を含むカード利用情報が存在するかどうかを検索する。検索された場合には、コメントとカード利用情報とを紐付け統合する。その結果が図７となる。
【０１２３】
尚、図７では、会員Ａは、５月２日はカード４を利用しておらず、マッチングキーのないコメント（登録日２００３０５０２のコメント）を５月２日に情報統合システム１に送信している。又、５月５日はカード４を利用して旅行代理店△△で１００００円の取引を行ったが、コメントは残していない。
【０１２４】
これらの場合は、コメントに対応するカード利用情報がないか、カード利用情報に対応するコメントがないということになり、コメントとカード利用情報の統合はされないが、統合手段１２は、統合されたかどうかにかかわらず、利用日又はコメントの登録日の順番に、統合結果（統合されなかった場合はコメント又はカード利用情報のみ）を並べる。
【０１２５】
閲覧手段１３は、先の会員毎の統合結果を、紙媒体に出力したり、会員端末３にメール送信してメールソフトを介して会員端末３に表示させたり、ウェブページとしてブラウザを介して会員端末３に表示させる等、任意の形態で閲覧出来るようにデータ形式を整える等して、会員に統合結果を提供する（Ｓ１９０）。
【０１２６】
閲覧の周期は、例えば１ヶ月毎、１年毎でもよい。又、統合結果を統合結果格納サーバ１５に格納し、会員の要求に応じて逐次、会員端末３にダウンロードさせたり、ウェブページ上で閲覧可能としてもよい。図７の統合結果にはコメント種別が付加されており、この種別毎に閲覧、集計、統計等することも可能である。尚、統合手段１２の統合周期は、閲覧の周期と同期していてもよい。
【０１２７】
特に、図７の統合結果が定期的に会員に送付される利用明細書に表示されていれば、会員は、カード利用情報とコメントを対比させることにより、家計簿や日記帳やスケジュール帳を見直さなくても、何の目的で何を購入したのかを即座に思い出すことが可能となる。又、この利用明細書を蓄積することで、会員がいつ、どこで、何をしたかという取引事実（つまり行動事実）とその時の感情とを同時に表し、整理された日記帳が自ずと完成する。
【０１２８】
又、カード４の利用都度、コメントを送信する習慣を持っている会員であれば、コメントがないカード利用情報が利用明細書に記載されていれば、会員以外の者にカード４を不正利用されたと推測することが即座に可能である。
【０１２９】
又、コメントに一般公開を許可する旨が付加されている場合には、カード会社が会員向けの会報誌やウェブページ上でコメントやコメントに添付された画像を紹介することが可能である。もちろん、コメントに紐付けられたカード利用情報を一緒に紹介することも可能であるが、当然のことながら、カード利用情報のうちカード番号、利用金額等プライバシーに関わる内容は伏せる必要がある。又、コメント内にも個人の電話番号や名前等のプライバシーに関わる内容は伏せたほうが望ましい。
【実施例２】
【０１３０】
次に、本発明の別の実施形態の一例について説明する。この場合の情報統合システム１ａと、情報統合システム１ａに関連するシステム、端末のシステム構成の一例を図４に示す。又、本実施例のプロセスの流れの一例を図６のフローチャート図に示す。
【０１３１】
尚、図４に示す構成手段の内、図２に示す構成手段と同一もしくは相当する部分には、同一符号を付し、簡略化のため説明を省略する。
【０１３２】
又、図６に示すフローの内、図５に示すフローと同一もしくは相当するフローには、同一符号を付し、簡略化のため説明を省略する。
【０１３３】
図４の情報統合システム１ａには、メール送信手段１４が備えられている。
【０１３４】
メール送信手段１４は、認証決済システム５の認証決済手段５２が、会員のカード４の利用可否を判断し、カード４の売上確定を行う際に、会員端末３にメールを送信する手段である。
【０１３５】
尚、会員データベース５３には、予め先に説明したような方法で、会員のメールアドレスが登録されていることが必要であるが、会員以外の者のメールアドレスが登録されていてもよく、その場合の会員端末３は、会員以外の者の端末となる。
【０１３６】
認証決済手段５２は、加盟店端末６から受信したカード利用情報に含まれるカード番号から、会員データベース５３を参照して、会員のメールアドレスを抽出し、メール送信手段１４にメールアドレスを渡す。この際、会員のメールアドレスとともに、カード利用情報の全て又は、カード利用情報から抽出されるマッチングキーもメール送信手段１４に転送されることが望ましい。
【０１３７】
メール送信手段１４は、認証決済手段５２から受信したメールアドレスと、カード利用情報又はマッチングキーに基づいて、会員端末３宛に、コメント送信を促すメールを作成して送信する（Ｓ１４５）。
【０１３８】
特に、メールの題名や本文欄に予めマッチングキーが入力されていれば、会員端末３は、受信したメールに対して返信をするだけで自動的にマッチングキーが入力されたコメントを送信することが出来、カード利用情報に紐付けられるコメントがコメントデータベース１１に登録されるので、マッチングキーの入力の手間が省略され、カード４の利用とほぼ同時にその時の感情や購入した物を残すことが出来るだけでなく、会員のコメント送信を習慣付けることが出来る。
【０１３９】
又、一度コメントを送信した後であっても、受信したメール又は会員が送信したメールそのものに対して再度返信を行うことによって、コメントの再入力、修正を行うことも可能である。コメントデータベース１１は、同一マッチングキーが付加されたコメントを２回以上受信した場合、逐次データベースを更新するか、時間的に一番遅く受信したコメントを最終的に、そのマッチングキーに対応するコメントとして格納する等する。
【０１４０】
尚、コメントの修正、更新は、メール送信による形態のみならず、会員端末３のブラウザを介して会員専用のウェブページ上で行うことも可能である。
【０１４１】
又、本実施例では、メールアドレスとカード番号とが予め紐付けられて会員データベース５３に登録されていることが前提となるから、マッチングキーにカード番号を入力することも不要であり、カード番号が外部に漏洩する心配もない。
【０１４２】
つまり、本実施例のメール送信手段１４により、会員は、即座かつ容易にコメントを情報統合システム１ａに登録することが可能となり、カード入会、カードメイン化が、より促進される。
【０１４３】
又、メール送信手段１４は、図８に示すように、マッチングキーの他、カード利用情報に基づいて、会員からカード４の利用があった旨、利用日、利用金額、加盟店名等が記載されたメールＡを作成し、会員端末３に送信することが出来る。会員はこのメールＡに対する返信メールＢを作成して、情報統合システム１ａに送信する。
【０１４４】
メール送信手段１４は、認証決済手段５２からカード利用情報を受信後、つまり、カード４による取引が発生後、直ちに会員端末３にメールを送信することが出来る。
【０１４５】
従って、例えば、会員以外の者によって会員のカード４が不正に利用された場合には、身に覚えのないメールが会員の元に送られることになるから、即座にカード４の不正利用を発見することが可能となる。これにより、カード会社で会員毎のカード４の利用にかかる請求を確定させる前に、カード４の不正利用を発見することが出来るので、会員はカード会社から無駄な請求をされることがなくなる。
【０１４６】
尚、認証決済システム５の認証決済手段５２が利用履歴データベース５４に会員のカード利用情報を蓄積する段階は一時的な売上確定段階と呼ばれ、会員にカード４の利用明細書を送付する最終売上確定段階に至るまでの間は、売上金額の訂正が可能である。
【０１４７】
又、１のカード番号につき、複数のメールアドレスが登録された場合には、メール送信手段１４は、コメントを作成して送信する者（実際にカード４を利用した者）宛と、カード利用情報を確認する者（カード４の支払い請求を受ける者）宛との両方にメールを送信することが出来るので、カード４の不正利用を発見するだけでなく、実際にカード４を利用する者の過度のカード利用を、親や経理担当者が抑制、防止することが可能となる。
【０１４８】
例えば、親の元に子供のカード利用にかかる請求書が送られるような親子カードを子供が有しているような場合には、予め子供の携帯電話等のメールアドレスと、親の携帯電話等のメールアドレスとを両方、会員データベース５３に登録しておくとよい。メール送信手段１４は、子供がカード４を利用した時に、コメントの送信依頼を子供のメールアドレス宛に送信するだけでなく、親のメールアドレス宛に子供のカード利用情報を転送する。
【０１４９】
これにより、親は、子供のカード４による利用金額が高い等の問題があった場合にはこれをすぐに発見することが出来、子供の過度のカード４の利用を防止、抑制することが可能となる。
【０１５０】
このように、複数のメールアドレスを登録することは過度のカード４の利用を防止、抑制するために有効な手段であり、親子カードのみならず、一般のカードでも同様に実現可能である。法人カードの場合は、法人カードを実際に利用する人のメールアドレスと、経理担当部署等の実際に請求を受ける者のメールアドレスとを会員データベース５３に登録すればよい。
【０１５１】
尚、メール送信手段１４は、本実施例では情報統合システム１ａ側にあるが、認証決済システム５側にあってもよく、又、認証決済手段５２がメール送信手段１４の実現機能を兼ねていてもよい。
【０１５２】
本発明に於ける各手段、データベースは、その機能が論理的に区別されているのみであって、物理上あるいは事実上は同一の領域を為していても良い。又データベースの代わりにデータファイルであっても良いことは言うまでもなく、データベースとの記載にはデータファイルをも含んでいる。
【０１５３】
尚、本発明を実施するにあたり本実施態様の機能を実現するソフトウェアのプログラムを記録した記憶媒体をシステムに供給し、そのシステムのコンピュータが記憶媒体に格納されたプログラムを読み出し実行することによっても実現される。
【０１５４】
この場合、記憶媒体から読み出されたプログラム自体が前記した実施態様の機能を実現することとなり、そのプログラムを記憶した記憶媒体は本発明を構成する。
【０１５５】
プログラムを供給する為の記憶媒体としては、例えば磁気ディスク、ハードディスク、光ディスク、光磁気ディスク、磁気テープ、不揮発性のメモリカード等を使用することができる。
【０１５６】
又、コンピュータが読み出したプログラムを実行することにより、上述した実施態様の機能が実現されるだけではなく、そのプログラムの指示に基づき、コンピュータ上で稼働しているオペレーティングシステムなどが実際の処理の一部又は全部を行い、その処理によって前記した実施態様の機能が実現される場合も本発明に含まれる。
【０１５７】
更に、記憶媒体から読み出されたプログラムが、コンピュータに挿入された機能拡張ボードやコンピュータに接続された機能拡張ユニットに備わる不揮発性あるいは揮発性の記憶手段に書き込まれた後、そのプログラムの指示に基づき、機能拡張ボードあるいは機能拡張ユニットに備わる演算処理装置などが実際の処理の一部あるいは全部を行い、その処理により前記した実施態様の機能が実現される場合も本発明に含まれる。 
【図面の簡単な説明】
【０１５８】
【図１】本発明の情報統合システムと、情報統合システムに関連するシステムや端末を示す概略構成図である。
【図２】本発明の情報統合システムと、情報統合システムに関連するシステムや端末を示すシステム構成図である。
【図３】認証決済システムと、会員端末と、メール自動送信装置の接続を示す概略構成図である。
【図４】本発明の情報統合システムと、情報統合システムに関連するシステムや端末を示す他のシステム構成図である。
【図５】本発明のプロセスの流れの一例を示すフローチャート図である。
【図６】本発明のプロセスの流れの他の一例を示すフローチャート図である。
【図７】カード利用情報とコメントの統合結果を示す一例である。
【図８】情報統合システムと会員端末間で送受信されるメールの一例を示す図である。
【符号の説明】
【０１５９】
１：情報統合システム
１１：コメントデータベース
１２：統合手段
１３：閲覧手段
１４：メール送信手段
１５：統合結果格納サーバ
２：会員
３：会員端末
４：カード
５：認証決済システム
５１：通信手段
５２：認証決済手段
５３：会員データベース
５４：利用履歴データベース
５５：メールアドレス登録部
６：加盟店端末
６１：カードリーダ
６２：通信手段
７：メール自動送信装置
９：ネットワーク
９ａ：インターネット
９ｂ：専用回線
【図１】
2005063216.tif 000003
【図２】
2005063216.tif 000004
【図３】
2005063216.tif 000005
【図４】
2005063216.tif 000006
【図５】
2005063216.tif 000007
【図６】
2005063216.tif 000008
【図７】
2005063216.tif 000009
【図８】
2005063216.tif 000010